(57)【要約】【課題】椅子型マッサージ装置において、背もたれ部と座部との間に異物が入り込むのを防止する。【解決手段】座部２と、この座部２の後端側に立設された背もたれ部３と、この背もたれ部３に内蔵され且つ背もたれ部３内を上下方向へ移動可能なマッサージ機構とを備えた椅子型マッサージ装置において、背もたれ部３に、当該背もたれ部３の下部と座部２との間に異物Ｂが入り込むのを２段階の反力をもって防止する進入防止部材２５が設けられている。【選択図】図４
2008119203.tif 000002
【特許請求の範囲】
【請求項１】
座部と、この座部の後側に立設された背もたれ部と、この背もたれ部に内蔵され且つ背もたれ部内を上下方向へ移動可能なマッサージ機構とを備えた椅子型マッサージ装置において、
前記背もたれ部に、該背もたれ部の下部と座部との間に、２段階の反力をもって異物が入り込むことを防止する進入防止部材が設けられていることを特徴とする椅子型マッサージ装置。
【請求項２】
前記背もたれ部は、上方へ向けて起立して前記背もたれ部の側壁を構成する左右一対の起立部材と、この起立部材の下部を連結する連結部材を有しており、
前記進入防止部材は、連結部材の左右方向中央部に起立状に固定される弾性変形不能の第１部材と、下端部が前記第１部材に固定されかつ上端部が前記背もたれ部に対して前後方向に弾性変形自在とされている第２部材とを有しており、前記第２部材は下端部から上端部にいくにしたがって前記第１部材から離れるように形成されていることを特徴とする請求項１に記載の椅子型マッサージ装置。
【請求項３】
前記第１部材及び第２部材は、下端部から上端部にいくにしたがって、前記背もたれ部に近づくと共に背もたれ部の背もたれ面に沿うように形成されていることを特徴とする請求項１または２に記載の椅子型マッサージ装置。
【請求項４】
前記第２部材の上端部は、前記背もたれ部のカバーに連結されていることを特徴とする請求項１〜３のいずれか１項に記載の椅子型マッサージ装置。
【発明の詳細な説明】
【技術分野】
【０００１】
本発明は、背もたれ部内を上下に移動可能なマッサージ機構を備えた椅子型マッサージ装置に関する。
【背景技術】
【０００２】
周知の如く、椅子型マッサージ装置の技術分野においては、互いに独立した４つのマッサージ体によって人体をマッサージする４つ玉式のマッサージ機構を背もたれ部に内蔵したものがある。
このようなマッサージ機構は、左右方向に架設された回転軸と、この回転軸の回転に伴って一端部及び他端部が左右方向において互いに逆向きに揺動するように当該回転軸に連結されている左右一対の揺動アームと、各揺動アームの上端及び下端にそれぞれ取り付けられたマッサージ体と、を備えている。マッサージ機構は背もたれ部内に上下方向に設けられた駆動軸に沿って上下方向に昇降可能となっており、マッサージ機構が上下に移動することで、使用者の肩から腰に至るまでの広範囲のマッサージ施術が可能となっている（例えば、特許文献１参照）。
【０００３】
かかる椅子型マッサージ装置において、使用者がコントローラ等のスイッチを入れることで、上下駆動用のモータが駆動され、マッサージ機構が背もたれ部内を上下に移動するものであり、移動の停止は、使用者がコントローラを操作する他に、駆動軸の上端及び下端に設けられたリミットスイッチなどの信号により行われる。
【特許文献１】特開２０００−２３７２５７号公報
【発明の開示】
【発明が解決しようとする課題】
【０００４】
ところが、使用者の身体がマッサージ機から離れたり、子供などのマッサージに適さない体格の使用者が着座したりした際に、マッサージ機構が背もたれ部の下部側に移動した場合、マッサージ体と座面との間、マッサージ機構の支持フレームと座部との間などで予期しない「異物の挟み込み」を生じる可能性がある。この場合、異物、例えば眼鏡等の物品が破損したり、メカ系への過負荷が生じたりするという問題がある。最も好ましくない例として、人体の一部の挟み込みの可能性も排除できない。
そこで、本発明は、上記問題点を鑑み、背もたれ部と座部との間に異物が入り込むことを防止する椅子型マッサージ装置を提供することを目的とする。
【課題を解決するための手段】
【０００５】
前記目的を達成するため、本発明においては以下の技術的手段を講じた。
すなわち、本発明に係る椅子型マッサージ装置は、座部と、この座部の後側に立設された背もたれ部と、この背もたれ部に内蔵され且つ背もたれ部内を上下方向へ移動可能なマッサージ機構とを備えた椅子型マッサージ装置において、
前記背もたれ部に、当該背もたれ部の下部と座部との間に、２段階の反力をもって異物が入り込むことを防止する進入防止部材が設けられている。
これによれば、背もたれ部に設けられた入り込み防止部材によって、異物が背もたれ部の下部と座部との間に入り込むことを防止できる。
【０００６】
また、入り込もうとする異物を２段階の反力で押し返すことで、１段階目の反力を弱めにして異物を優しく押し返し、２段階目の反力を強くして異物の入り込みを確実に防止できるようになり、確実に入り込みを防止できるものでありながら、異物に働く衝撃を和らげることも可能となる。
前記背もたれ部は、上方へ向けて起立して前記背もたれ部の側壁を構成する左右一対の起立部材と、この起立部材の下部を連結する連結部材を有しており、
前記進入防止部材は、連結部材の左右方向中央部に起立状に固定される弾性変形不能の第１部材と、下端部が前記第１部材に固定されかつ上端部が前記背もたれ部に対して前後方向に弾性変形自在とされている第２部材とを有しており、前記第２部材は下端部から上端部にいくにしたがって前記第１部材から離れるように形成されていることが好ましい。
【０００７】
これによれば、異物が背もたれ部の下部と座部との間に進入しようとすると、まず前記第２部材が異物に押さえられて後側に弾性変形し、弾性変形した第２部材の復元力が異物に対して押し戻し方向に作用し（１段階目の反力が作用し）、この押し戻し方向の力により異物の進入が防止される。
さらに、異物がより強引に進入しようとした場合には、第２部材は後側に強く押し込まれて第１部材に当接し、第１部材が第２部材の一定以上の弾性変形を抑制し、このとき第１部材の反力が異物に対して押し戻し方向に強く作用する（２段階目の反力が作用する）ため、強引に進入しようとする異物についても進入を確実に防ぐことができる。
【０００８】
前記第１部材及び第２部材は、下端部から上端部にいくにしたがって、前記背もたれ部に近づくと共に背もたれ部の背もたれ面に沿うように形成されていることが好ましい。
これによれば、背もたれ部に体重を預けた使用者に対して第１部材及び第２部材の上端部が強く当たることが無くなり、進入防止部材を設けていてもソフトな当たり心地を実現できるようになる。その結果、前記進入防止部材は、使用者に違和感を抱かせることなく、異物の進入を確実に防止できる。
前記第２部材の上端部は、前記背もたれ部のカバーに連結されていることが好ましい。
【０００９】
これによれば、第２部材は上端部が背もたれ部のカバー（の裏面）に連結されているので、入り込もうとする際に異物により加えられる力を背もたれ部の広い面積で受けると共に、第２部材の復元力をこの背もたれ部の広い面積を介して作用させられるようになり、左右方向の中央部から離れた部分から進入する異物についてもその進入を確実に防止することができる。
【発明の効果】
【００１０】
本発明にかかる椅子型マッサージ装置によれば、背もたれ部と座部との間に異物が入り込むのを防止することができる。
【発明を実施するための最良の形態】
【００１１】
以下、本発明にかかる椅子型マッサージ装置を図に基づいて説明する。
図１は、本発明にかかる椅子型マッサージ装置１の斜視図を示したものであり、図２は、椅子型マッサージ装置１の側面図を示したものである。
図１、２に示すように、椅子型マッサージ装置１は、座部２と、座部２の後端部に立設された背もたれ部３と、この背もたれ部３の内部に収納されたマッサージ機構４と、座部２の前端部に垂下するように設けられた下肢マッサージ部５とを備えている。
以下、椅子型マッサージ装置１またはマッサージ機構４の説明においては、図２の右左方向を前後方向（厚さ方向）、図２の上下方向を上下方向、図２の紙面貫通方向を左右方向（幅方向）と呼ぶ。これは椅子に座った使用者（被マッサージ者）から見た方向と一致する。
【００１２】
座部２は、平面視で矩形状に形成され、脚体６により支持されている。座部２の後部には軸芯が左右方向を向いていて背もたれ部３を枢支する枢支軸７が設けられており、これによって、背もたれ部３をリクライニング可能に支持している。
図１、３に示すように、背もたれ部３は、座部２の後部から上方へ向けて起立して背もたれ部３の側壁を構成する一対の起立部材８，８と、この起立部材８，８の下部を水平方向に連結する連結部材９とを有している。
起立部材８，８は、左右方向に一定の間隔で離間して配置されており、この実施の形態では、各起立部材８，８は座部２の左右両側に配置している。起立部材８，８及び連結部材９は、伸縮性を有するカバー１０で覆われており、カバー１０で覆った背もたれ部３の前面が使用者のもたれる背もたれ面１１とされている。
【００１３】
図２に示すように、背もたれ部３の内部、即ち、カバー１０で覆った内部には、前記マッサージ機構４と、このマッサージ機構４を上下方向に移動させる移動機構１２が設けられている。
マッサージ機構４は、左右一対の揺動アーム１３，１３と、各揺動アーム１３，１３の上端及び下端にそれぞれ取り付けられたマッサージ体１４（揉み玉）と、揺動アーム１３，１３とマッサージ体１４とを支持する支持体１５とを有している。
マッサージ体１４は扁平ボール状に形成されていて、その中央部が上下に分かれる二股状の揺動アーム１３，１３の各端部に左右方向の取付ピンを介して回転自在に取り付けられている。それぞれのマッサージ体１４は、使用者に対して個別に当接するように上下左右に離れて独立した状態で配置されている。なお、下端のマッサージ体１４は、上端のマッサージ体１４よりその径が大きなものとすると好適である。
【００１４】
支持体１５には、左右方向に軸芯が向く回転軸１６が回転自在に設けられ、この回転軸１６に揺動アーム１３，１３の中途部が連結されている。また、支持体１５には回転軸１６を回転させる駆動機構１７が設けられ、前記回転軸１６を回転させることで、互いの揺動アーム１３，１３は、左右又は／及び前後に揺動する。
揺動アーム１３，１３を左右に揺動させることで、左右揺動アーム１３，１３の上端部に取り付けたマッサージ体１４同士が互いに接近したときに下端部に取り付けたマッサージ体１４同士が離反し、逆に、上端部に取り付けたマッサージ体１４同士が離反したときに下端部に取り付けたマッサージ体１４同士が接近する、といった動作を繰り返す（以降、揉み動作ということがある）。
【００１５】
また、揺動アーム１３，１３を前後に揺動させることで、左右一対のマッサージ体１４のうち一方のマッサージ体１４が背もたれ面１１に向けて（前側に向けて）突出し、他方のマッサージ体１４が背もたれ面１１から離れる（後部から離れる）といった動作を繰り返す（以降、叩き動作ということがある）。
このマッサージ機構４では、揉み動作及び叩き動作を同時にする（揺動アーム１３，１３が前後に揺動しつつ左右にも揺動する）ようになっているが、揉み動作と叩き動作を別々に行うことも可能である。
【００１６】
移動機構１２は、左右一対の起立部材８，８の間で、背もたれ部３の下部から上部に向けて延びる左右一対のガイドレール２０，２０と、ガイドレール２０，２０とは別に背もたれ部３の下部から上部に向けて延びていて回転自在なネジ軸２１と、このネジ軸２１を回転させる昇降モータ２２と、支持体１５に回転自在に設けられたガイドローラ２３とを有している。
ガイドローラ２３は、ガイドレール２０，２０に対して転動自在に係合しており、支持体１５はネジ軸２１に対して螺合している。
【００１７】
したがって、昇降モータ２２の駆動でネジ軸２１を回転することで、マッサージ機構４（支持体１５）が上下移動するようになっている。即ち、マッサージ機構４は背もたれ部３の内部において、背もたれ部３の上部から下部に亘って移動するようになっている。
マッサージ機構４の下側のマッサージ体１４又は支持体１５の下部が、枢支軸７又は連結部材９に近接するまで、当該マッサージ機構４を移動させることができる。
図３に示すように、マッサージ機構４が背もたれ部３の下部まで移動した状態では、下側の一対のマッサージ体１４のうち左側のマッサージ体１４Ｌは左右方向中心より左側に位置し、右側のマッサージ体１４Ｒは左右方向中心より右側に位置するようになっている。このように、マッサージ機構４が背もたれ部３の下部まで移動した際は、マッサージ体１４と座面との間、マッサージ機構の支持体１５と座部２との間などで予期しない「異物の挟み込み」を生じる可能性があるため、本発明にかかる椅子型マッサージ装置では、背もたれ部３に、当該背もたれ部３の下部と座部２との間に異物Ｂが入り込むのを防止する進入防止部材２５が設けられている。
【００１８】
以下、進入防止部材２５について詳しく説明する。
図１〜５に示すように、進入防止部材２５は、弾性変形不能の第１部材２６と、前記第１部材２６の前側に下端部が固定されて上端部が前後方向に弾性変形自在な第２部材２７とを有している。
第１部材２６は、上下方向に沿って伸びる帯板状の本体２６ａと、この本体２６ａの左右方向の側面に前後方向に（前記本体２６ａと垂直に）それぞれ設けられる側板部２６ｂ、２６ｃとを有している。該第１部材２６は、本体２６ａと側板部２６ｂ、２６ｃとでなるコの字状断面を形成しており、このコの字状断面を有することで前後方向に弾性変形不能とされている。なお、この弾性変形不能とは、全く弾性変形しない素材で形成されているという意味ではなく、異物又は使用者の体重程度が加わってもその形状が大きく変化しないという意味である。
【００１９】
第１部材２６は、下端部が連結部材９の左右方向中央部に固定されており、下端部から上端部にいくにしたがって背もたれ面１１に近づくと共に、該背もたれ面１１に沿って上端部側が曲がるように形成されている。
これによって、背もたれ部３の下部と座部２との間に異物Ｂが進入しようとして、前記背もたれ部３に前側から後側に向けて押さえつける力が作用して背もたれ面１１が押し込まれた場合であっても、弾性変形不能な該第１部材２６から反力が作用して背もたれ面１１がより後側に押し込まれることが防止される。
【００２０】
つまり、第１部材２６は、背もたれ面１１が後側に向けて押し込まれることを防止する固定部材ということもできる。
第２部材２７は、上下方向に沿って長い帯板状に形成され、第１部材２６より前後方向に弾性変形自在となっている。また、第２部材２７は、下端部が第１部材２６の前側に固定されており、下端部から上端部にいくにしたがって背もたれ部３（背もたれ面１１）に近づくと共に上端部が前記背もたれ面１１に沿って曲がるように形成されている。言い替えるならば、前記背もたれ面１１と第１部材２６との間に弾性変形自在な第２部材２７が挟み込まれているということもできる。
【００２１】
これによって、背もたれ部３の下部と座部２との間に異物Ｂが進入しようとして、背もたれ部３に前側から後側に向けて押さえつける力が作用し、背もたれ面１１が後側に押し込まれた場合であっても、第２部材２７の上端部が第１部材２６の上端部よりも先に背もたれ面１１に当接することになる。第２部材２７は、当接位置よりも後側に背もたれ面１１が押し込まれると、弾性変形してその弾性変形量に応じた復元力を前方向に向けて付与し、異物Ｂの進入が第２部材２７の復元力により防止される。
すなわち、前記進入防止部材２５が第２部材２７の復元力による１段階目の反力と弾性変形不能な第１部材２６による２段階目の反力とを有することで、例えば支持体１５と第２部材２７との間に異物Ｂが進入しようとした場合でも、第２板材２７の１段階目の反力により異物Ｂをまず損傷させることなく優しく押し返し、次いで第１板材２６の２段階目の反力により異物Ｂの進入を確実に止めることができ、異物に対して確実に入り込みを防止できるものでありながら、働く衝撃（反力）を和らげることも可能となる。また、弾性変形自在な第２部材２７は背もたれ部３にもたれかかる使用者にソフトな当たり心地を付与するため、進入防止部材２５を設けても使用者に違和感を抱かせることがない。
【００２２】
前記カバー１０の裏面（後面）には下方に向かって開口する袋状部３６が設けられており、第２部材２７の上端部は該袋状部３６の下方から挿入されてカバー１０の裏面に連結されている。第２部材は上端部が背もたれ部３のカバー１０に連結されているので、入り込もうとする異物から押さえられる力を背もたれ部３の広い面積で受けると共に、第２部材の押し戻し方向の反力を背もたれ面１１に面状に作用させて異物を押し返すので、左右方向の中央部から離れた部分から進入する異物についてもその進入を確実に防止することができる。
【００２３】
一方、第２部材２７の下端部は第１部材２６の前側の下端側にリベットで固定されており、上下方向の中途側が前後に弾性変形自在とされている。そのため、上端を自由端とする場合に比べて、第２部材２７の復元力を強くすることができ、異物をより強い復元力で押し返すことができる。
前記第２部材２７の上端部には合成樹脂でなる保護カバー３７が設けられている。該保護カバー３７は、使用者が背もたれ部３に体を預けた場合に、背もたれ面１１が沈み込んで前記第２部材２７の上端部が袋状部３６に何度も出入りするうちに、袋状部３６の内面が破損されるのを防止する目的で設けられる。
【００２４】
進入防止部材２５は補助材３０を有している。この補助材３０は、起立部材８，８の内側面に設けられていて起立部材８，８と第１部材２６及び第２部材２７との間のスペースＳを小さくするもので、第１部材２６及び第２部材２７に向けて突出している。
補助材３０は、第１部材２６と起立部材８，８との幅（スペースＳの最大幅）を弾性変形していない状態で所定幅以下（例えば、１５ｃｍ以内）にするものである。
補助材３０によって、スペースＳの最大幅Ｄ３を所定幅以下としたのは、異物Ｂ（例えば、子供の頭）が挟み込まないようにしている。補助材３０は弾性変形しない材料が好ましいが、スポンジ等で形成することで左右方向（幅方向）に多少弾性変形をさせることも可能である。
【００２５】
なお、補助材３０によって、スペースＳの幅を小さくしているが、このスペースＳにはマッサージ体１４が上下に通過できるようにしている（補助材３０でスペースＳを小さくしているもののマッサージ体１４が通過できる幅は確保している）。
本発明にかかる椅子型マッサージ装置は、上記の実施の形態に限定されない。
即ち、第２部材２７は、前記実施形態のように上端部をカバー１０に連結しているのが好ましいが、上端部はカバー１０に連結されなくても良い。
前記第１部材２６は前記実施形態においては弾性変形不能とされていたが、第２部材２７より弾性変形しにくい構造や材料で形成されていても良い。
【００２６】
前記実施形態では第１部材２６による２段階目の反力と第２部材２７による１段階目の反力とを用いていたが、例えば第１部材２６の上端部と第２部材２７の上端部との間に弾性変形可能なバネ等の付勢手段を設けて、この付勢手段による３段階目の反力を付与できるように構成することもできる。
【図面の簡単な説明】
【００２７】
【図１】椅子型マッサージ装置の斜視図である。
【図２】椅子型マッサージ装置の概略の側面図である。
【図３】進入防止部材を取り付けている背もたれ部の内部図である。
【図４】進入防止部材の斜視図である。
【図５】進入防止部材とマッサージ体との関係を示す斜視図である。
【符号の説明】
【００２８】
１    椅子型マッサージ装置
２    座部
３    背もたれ部
４    マッサージ機構
８    起立部材
９    連結部材
１１  背もたれ面
２５  進入防止部材
２６  第１部材
２７  第２部材
【図１】
2008119203.tif 000003
【図２】
2008119203.tif 000004
【図３】
2008119203.tif 000005
【図４】
2008119203.tif 000006
【図５】
2008119203.tif 000007